(57)【要約】  電子デバイスが、折り畳まれた及び展開された構成の間で可動の第２のパネルに接続された第１のパネルを有するハウジングを含む。第１のアンテナが第１のパネルに隣接して位置し、第２のアンテナが第２のパネルに隣接して位置する。第２のアンテナは、ハウジングが展開された構成にあるときアクティブ化され、ハウジングが折り畳まれた構成にあるとき非アクティブ化される。
2020535748.tif 000002
【特許請求の範囲】
【請求項１】
第２のパネルに結合された第１のパネルを含むハウジングと、
前記第１のパネルに隣接して位置づけられた第１のアンテナと、
前記第２のパネルに隣接して位置づけられた第２のアンテナであり、前記第２のアンテナは、前記ハウジングが展開された構成にあるときアクティブ化され、前記第２のアンテナは、前記ハウジングが折り畳まれた構成にあるとき非アクティブ化される、第２のアンテナと、
を含む電子デバイス。
【請求項２】
前記ハウジングが前記展開された構成から前記折り畳まれた構成に移行されるとき、前記第２のアンテナとグランドプレーンとの間の短絡接続が形成される、請求項１に記載の電子デバイス。
【請求項３】
前記第２のアンテナと前記グランドプレーンとの間の前記短絡接続は、前記ハウジングが前記展開された構成にあるとき遮断される、請求項２に記載の電子デバイス。
【請求項４】
前記短絡接続は、前記第２のアンテナが前記折り畳まれた構成において前記ハウジングの配置に付随して前記グランドプレーンと直接又は間接接触しているとき形成される、請求項３に記載の電子デバイス。
【請求項５】
前記短絡接続は、前記ハウジングが前記折り畳まれた構成に置かれているとき閉じるように構成されたスイッチにより形成される、請求項３に記載の電子デバイス。
【請求項６】
前記第１のパネルに配設された第１のディスプレイと、
前記第１のディスプレイに隣接して位置づけられた第１のグランドプレーン領域と、
前記第２のパネルに配設された第２のディスプレイと、
前記第２のディスプレイに隣接して位置づけられた第２のグランドプレーン領域であり、前記第２のグランドプレーン及び前記第１のグランドプレーンは共通グランドプレーンの一部である、第２のグランドプレーン領域と、
前記第１のアンテナを前記第２のアンテナから電気的に隔離する前記第１のグランドプレーン領域及び前記第２のグランドプレーン領域の間に位置づけられたグランドプレーンスロット構造と、
をさらに含む請求項１に記載の電子デバイス。
【請求項７】
前記グランドプレーンスロット構造は、前記第１又は第２のアンテナうち１つの動作周波数の４分の１波長に対応する近似電気長を有する誘電材料で形成される、請求項６に記載の電子デバイス。
【請求項８】
前記グランドプレーンスロット構造は、前記第１又は第２のアンテナうち１つの動作周波数の４分の１波長に対応する近似電気長を有する共振器である、請求項６に記載の電子デバイス。
【請求項９】
前記ハウジングが前記折り畳まれた構成にあるとき前記第１のディスプレイがアクティブであり、前記ハウジングが展開された構成にあるとき前記第１のディスプレイ及び前記第２のディスプレイが双方アクティブである、請求項６に記載の電子デバイス。
【請求項１０】
前記グランドプレーンスロット構造は、前記第１のパネル及び前記第２のパネルの間のデータ又は電力信号のうち１つ以上を運ぶように構成された通路を備える、請求項６に記載の電子デバイス。
【請求項１１】
前記第１のパネルに配設された第１のディスプレイ及び前記第２のパネルに配設された第２のディスプレイに隣接して位置づけられた連続グランドプレーン、をさらに含む請求項１に記載の電子デバイス。
【請求項１２】
前記ハウジングが前記展開された構成にあるとき前記第２のアンテナをアクティブ化するスイッチ、をさらに含む請求項１に記載の電子デバイス。
【請求項１３】
前記第２のアンテナは、受信信号強度指標（ＲＳＳＩ）、受信信号符号電力（ＲＳＣＰ）、ビット誤り率（ＢＥＲ）、シンボル誤り率（ＳＥＲ）、否定応答（ＮＡＫ）／肯定応答（ＡＣＫ）比率、リンク制御に基づく情報、及び電力制御ビット（ＰＣＢ）のうち１つ以上に従って選択される、請求項１に記載の電子デバイス。
【請求項１４】
前記第２のアンテナは前記第１のアンテナに対するダイバーシティアンテナとして動作する、請求項１に記載の電子デバイス。
【請求項１５】
前記第１のアンテナ及び前記第２のアンテナの各々が複数入力及び複数出力（ＭＩＭＯ）アンテナとして構成される、請求項１に記載の電子デバイス。
【請求項１６】
第２のパネルに結合された第１のパネルを含むハウジングであり、前記第１のパネルは第１のアンテナ領域を含み、前記第２のパネルは第２のアンテナ領域を含み、前記ハウジングが折り畳まれた構成にあるとき前記第１のパネル及び前記第２のパネルは互いに外方を向く、ハウジングと、
前記第１のアンテナ領域に位置づけられた第１のアンテナと、
前記第２のアンテナ領域に位置づけられた第２のアンテナであり、前記第１のアンテナは前記第２のアンテナから電気的に隔離され、前記第２のアンテナは、前記ハウジングが展開された構成にあるときアクティブ化され、前記ハウジングが前記折り畳まれた構成にあるとき非アクティブ化される、第２のアンテナと、
を含む電子デバイス。
【請求項１７】
前記ハウジングが前記展開された構成から前記折り畳まれた構成に移行されるとき、前記第２のアンテナとグランドプレーンとの間の短絡接続が形成される、請求項１６に記載の電子デバイス。
【請求項１８】
前記第２のアンテナと前記グランドプレーンとの間の前記短絡接続は、前記ハウジングが前記展開された構成にあるとき遮断される、請求項１７に記載の電子デバイス。
【請求項１９】
前記短絡接続は、前記第２のアンテナが前記グランドプレーンと直接又は間接接触しているとき形成され、前記直接又は間接接触は、前記ハウジングが前記折り畳まれた構成に置かれているときの前記グランドプレーンに対する前記第２のアンテナの方向づけから生じる、請求項１８に記載の電子デバイス。
【請求項２０】
前記短絡接続は、前記ハウジングに結合されたスイッチにより形成され、前記ハウジングが前記折り畳まれた構成に置かれているとき閉じるように構成される、請求項１８に記載の電子デバイス。
【請求項２１】
第３のアンテナ領域を含む第３のパネル、をさらに含み、前記第３のアンテナ領域に第３のアンテナが配置され、前記第３のアンテナは前記第１のアンテナから電気的に隔離される、請求項１６に記載の電子デバイス。
【請求項２２】
前記第１及び第３のアンテナのうち少なくとも１つが、前記ハウジングが展開された構成にあるとき動作可能であり、前記第３のアンテナとグランドプレーンとの間の短絡接続が、前記ハウジングが前記展開された構成から前記折り畳まれた構成に移行されるとき形成される、請求項２１に記載の電子デバイス。
【請求項２３】
前記ハウジングは、前記第１のパネル及び前記第２のパネルに配設された連続グランドプレーンをさらに含む、請求項２１に記載のデバイス。
【請求項２４】
前記第２のアンテナ領域は、前記ハウジングが折り畳まれた構成にあるとき前記第１のアンテナ領域に重ならない、請求項１６に記載の電子デバイス。
【請求項２５】
前記第１のアンテナ及び前記第２のアンテナは異なるタイプの無線アンテナである、請求項１６に記載の電子デバイス。
【請求項２６】
前記第２のアンテナは前記第１のアンテナに対するダイバーシティアンテナとして動作する、請求項１６に記載の電子デバイス。
【請求項２７】
前記第１のアンテナ及び前記第２のアンテナは複数入力及び複数出力（ＭＩＭＯ）アンテナ構成にある、請求項１６に記載の電子デバイス。
【請求項２８】
前記第１のパネルに配設された主ディスプレイ領域であり、前記ハウジングが前記折り畳まれた構成にあるとき前記主ディスプレイ領域がアクティブである、主ディスプレイ領域と、
前記第２のパネルに配設された補助ディスプレイ領域であり、前記ハウジングが展開された構成にあるとき前記主ディスプレイ領域及び前記補助ディスプレイ領域がアクティブである、補助ディスプレイ領域と、
をさらに含む請求項１６に記載の電子デバイス。
【請求項２９】
前記第１のパネルに配設され前記主ディスプレイ領域に隣接した第１のグランドプレーン領域と、
前記第２のパネルに配設され前記補助ディスプレイ領域に隣接した第２のグランドプレーン領域であり、前記第１のグランドプレーン領域及び前記第２のグランドプレーン領域は共通グランドプレーンを形成する、第２のグランドプレーン領域と、
前記第１のグランドプレーン領域を前記第２のグランドプレーン領域に結合するグランドプレーンスロット構造であり、前記グランドプレーンスロット構造は、当該電子デバイスのセルラーアンテナの動作周波数の４分の１波長に対応する近似電気長で構成される、グランドプレーンスロット構造と、
をさらに含む請求項２８に記載の電子デバイス。
【請求項３０】
前記第１のアンテナは前記グランドプレーンスロット構造を介して前記第２のアンテナから電気的に隔離される、請求項２９に記載の電子デバイス。
【請求項３１】
前記グランドプレーンスロット構造は、前記第１のパネル及び前記第２のパネルの間のデータ又は電力信号のうち１つ以上を運ぶように構成された通路を含む、請求項２９に記載の電子デバイス。
【請求項３２】
前記グランドプレーンスロット構造は誘電体又は共振器を含む、請求項２９に記載の電子デバイス。
【発明の詳細な説明】
【技術分野】
【０００１】
［関連出願］
本出願は、2017年9月29日に出願され「Antenna  Placement  Arrangements  on  Device  with  Extendable  Display」と題された米国非仮特許出願第15/720,964号に対する優先権を主張し、該出願は、その全体を複製されているかのように参照により本明細書に組み込まれる。
【０００２】
［技術分野］
本開示は、概して電子デバイスに関し、特定の実施形態において、拡張可能ディスプレイを有するデバイスにおけるアンテナ配置構成のためのシステムに関する。
【背景技術】
【０００３】
モバイルフォン、タブレット端末、ノートパソコンなどの携帯無線デバイスは、映画をストリーミングし、ゲームをプレイし、ビジネス活動を行うためにますます利用されている。携帯無線デバイスを設計する際の１つの課題は、それらのコンパクトなフォームファクタがデバイス上のアンテナ素子のサイズ、数、及び潜在的な配置をしばしば制限することである。この設計課題は、無線送信及び／又は受信手法の進歩（例えば、高次複数入力複数出力（multiple-input  multiple-output、ＭＩＭＯ）、ビームフォーミング等）が既に込み合った空間にさらなるアンテナ素子を含めることを要するとき、ますます複雑になる。
【発明の概要】
【０００４】
技術的利点は、アンテナの配置及び選択のためのシステム及び方法を説明する本開示の実施形態により一般に達成される。
【０００５】
一実施形態によれば、アンテナの配置及び選択のための装置が提供される。この実施形態において、装置は、第２のパネルに結合された第１のパネルを有するハウジングと、第１のパネルに隣接して位置づけられた第１のアンテナと、第２のパネルに隣接して位置づけられた第２のアンテナであり、第２のアンテナは、ハウジングが展開された構成にあるときアクティブ化され、第２のアンテナは、ハウジングが折り畳まれた構成にあるとき非アクティブ化される、第２のアンテナとを含む。一例において、ハウジングが展開された構成から折り畳まれた構成に移行されるとき、第２のアンテナとグランドプレーンとの間の短絡接続が形成される。任意で、そのような例において、又は別の例において、第２のアンテナとグランドプレーンとの間の短絡接続は、ハウジングが展開された構成にあるとき遮断される。任意で、上述の例のうちいずれか１つにおいて、又は別の例において、短絡接続は、第２のアンテナが、折り畳まれた構成においてハウジングの配置に付随して（incident  to）グランドプレーンと直接又は間接接触しているとき形成される。任意で、上述の例のうちいずれか１つにおいて、又は別の例において、短絡接続は、ハウジングが折り畳まれた構成に置かれているとき閉じるように構成されたスイッチにより形成される。任意で、上述の例のうちいずれか１つにおいて、又は別の例において、装置は、第１のパネルに配設された第１のディスプレイと、第１のディスプレイに隣接して位置づけられた第１のグランドプレーン領域と、第２のパネルに配設された第２のディスプレイと、第２のディスプレイに隣接して位置づけられた第２のグランドプレーン領域とをさらに含む。第２のグランドプレーン及び第１のグランドプレーンは、共通のグランドプレーンの一部であり、第１のグランドプレーン領域と第２のグランドプレーン領域との間に位置づけられたグランドプレーンスロット構造が、第１のアンテナを第２のアンテナから電気的に隔離する。任意で、上述の例のうちいずれか１つにおいて、又は別の例において、グランドプレーンスロット構造は、第１又は第２のアンテナのうち１つの動作周波数の４分の１波長に対応する近似電気長を有する誘電材料で形成される。任意で、上述の例のうちいずれか１つにおいて、又は別の例において、グランドプレーンスロット構造は、第１又は第２のアンテナのうち１つの動作周波数の４分の１波長に対応する近似電気長を有する共振器である。任意で、上述の例のうちいずれか１つにおいて、又は別の例において、ハウジングが折り畳まれた構成にあるとき第１のディスプレイがアクティブであり、ハウジングが展開された構成にあるとき第１のディスプレイ及び第２のディスプレイが双方アクティブである。任意で、上述の例のうちいずれか１つにおいて、又は別の例において、グランドプレーンスロット構造は、第１のパネル及び第２のパネルの間のデータ又は電力信号のうち１つ以上を運ぶように構成された通路を備える。任意で、上述の例のうちいずれか１つにおいて、又は別の例において、装置は、第１のパネルに配設された第１のディスプレイ及び第２のパネルに配設された第２のディスプレイに隣接して位置づけられた連続グランドプレーンをさらに含む。任意で、上述の例のうちいずれか１つにおいて、又は別の例において、第２のアンテナは、受信信号強度指標（received  signal  strength  indication、ＲＳＳＩ）、受信信号符号電力（received  signal  code  power、ＲＳＣＰ）、ビット誤り率（bit  error  rate、ＢＥＲ）、シンボル誤り率（symbol  error  rate、ＳＥＲ）、否定応答（negative  acknowledgement、ＮＡＫ）／肯定応答（acknowledgement、ＡＣＫ）比率、リンク制御に基づく情報、及び電力制御ビット（power  control  bit、ＰＣＢ）のうち１つ以上に従って選択される。任意で、上述の例のうちいずれか１つにおいて、又は別の例において、第２のアンテナは、第１のアンテナに対するダイバーシティアンテナとして動作する。任意で、上述の例のうちいずれか１つにおいて、又は別の例において、第１のアンテナ及び第２のアンテナの各々が複数入力及び複数出力（multiple-input  and  multiple-output、ＭＩＭＯ）アンテナとして構成される。
【０００６】
別の実施形態によれば、アンテナの配置及び選択のための装置が提供される。この実施形態において、装置は、ハウジングと、第１のアンテナ領域に位置づけられた第１のアンテナと、第２のアンテナ領域に位置づけられた第２のアンテナとを含む。ハウジングは、第２のパネルに結合された第１のパネルを有し、第１のパネルは第１のアンテナ領域を有し、第２のパネルは第２のアンテナ領域を有し、ハウジングが折り畳まれた構成にあるとき、第１のパネル及び第２のパネルは互いに外方を向く。第１のアンテナは、第２のアンテナから電気的に隔離されており、第２のアンテナは、ハウジングが展開された構成にあるときアクティブ化され、ハウジングが折り畳まれた構成にあるとき非アクティブ化される。一例において、ハウジングが展開された構成から折り畳まれた構成に移行されるとき、第２のアンテナとグランドプレーンとの間の短絡接続が形成される。任意で、上述の例のうちいずれか１つにおいて、又は別の例において、第２のアンテナとグランドプレーンとの間の短絡接続は、ハウジングが展開された構成にあるとき遮断される。任意で、上述の実施形態のいずれかにおいて、又は他の実施形態において、短絡接続は、第２のアンテナがグランドプレーンと直接又は間接接触しているとき形成され、直接又は間接接触は、ハウジングが折り畳まれた構成に置かれているときのグランドプレーンに対する第２のアンテナの方向づけから生じる。任意で、上述の例のうちいずれか１つにおいて、又は別の例において、短絡接続は、ハウジングに結合されたスイッチにより形成され、ハウジングが折り畳まれた構成に置かれているとき閉じるように構成される。任意で、上述の例のうちいずれか１つにおいて、又は別の例において、装置は、第３のアンテナ領域を含む第３のパネルをさらに含み、第３のアンテナ領域に第３のアンテナが配置され、第３のアンテナは第１のアンテナから電気的に隔離される。任意で、上述の例のうちいずれか１つにおいて、又は別の例において、第１及び第３のアンテナの少なくとも１つが、ハウジングが展開された構成にあるとき動作可能であり、第３のアンテナとグランドプレーンとの間の短絡接続が、ハウジングが展開された構成から折り畳まれた構成に移行されるとき形成される。任意で、上述の例のうちいずれか１つにおいて、又は別の例において、ハウジングは、第１のパネル及び第２のパネルに配設された連続グランドプレーンをさらに含む。任意で、上述の例のうちいずれか１つにおいて、又は別の例において、第２のアンテナ領域は、ハウジングが折り畳まれた構成にあるとき第１のアンテナ領域に重ならない。任意で、上述の例のうちいずれか１つにおいて、又は別の例において、第１のアンテナ及び第２のアンテナは異なるタイプの無線アンテナである。任意で、上述の例のうちいずれか１つにおいて、又は別の例において、第２のアンテナは第１のアンテナに対するダイバーシティアンテナとして動作する。任意で、上述の例のうちいずれか１つにおいて、又は別の例において、第１のアンテナ及び第２のアンテナは複数入力及び複数出力（multiple-input  and  multiple-output、ＭＩＭＯ）アンテナ構成にある。任意で、上述の例のうちいずれか１つにおいて、又は別の例において、装置は、第１のパネルに配設された主ディスプレイ領域と、第２のパネルに配設された補助ディスプレイ領域とをさらに含む。ハウジングが折り畳まれた構成にあるとき主ディスプレイ領域がアクティブであり、ハウジングが展開された構成にあるとき主ディスプレイ領域及び補助ディスプレイ領域がアクティブである。任意で、上述の例のうちいずれか１つにおいて、又は別の例において、装置は、第１のパネルに配設され主ディスプレイ領域に隣接した第１のグランドプレーン領域と、第２のパネルに配設され補助ディスプレイ領域に隣接した第２のグランドプレーン領域と、第１のグランドプレーン領域を第２のグランドプレーン領域に結合するグランドプレーンスロット構造とをさらに含む。第１のグランドプレーン領域及び第２のグランドプレーン領域は、共通グランドプレーンを形成する。グランドプレーンスロット構造は、電子デバイスのセルラーアンテナの動作周波数の４分の１波長に対応する近似電気長で構成される。任意で、上述の例のうちいずれか１つにおいて、又は別の例において、第１のアンテナはグランドプレーンスロット構造を介して第２のアンテナから電気的に隔離される。任意で、上述の例のうちいずれか１つにおいて、又は別の例において、グランドプレーンスロット構造は、第１のパネル及び第２のパネルの間のデータ又は電力信号のうち１つ以上を運ぶように構成された通路を含む。任意で、上述の例のうちいずれか１つにおいて、又は別の例において、グランドプレーンスロット構造は誘電体又は共振器を含む。
【図面の簡単な説明】
【０００７】
本発明及びその利点のより完全な理解のために、次に、添付の図面と関連して以下の説明を参照する。
【図１Ａ】図１Ａ〜図１Ｄは、一実施形態の電子デバイスを、折り畳まれた及び展開された構成で、様々なビューイングアングルで示す。
【図１Ｂ】図１Ａ〜図１Ｄは、一実施形態の電子デバイスを、折り畳まれた及び展開された構成で、様々なビューイングアングルで示す。
【図１Ｃ】図１Ａ〜図１Ｄは、一実施形態の電子デバイスを、折り畳まれた及び展開された構成で、様々なビューイングアングルで示す。
【図１Ｄ】図１Ａ〜図１Ｄは、一実施形態の電子デバイスを、折り畳まれた及び展開された構成で、様々なビューイングアングルで示す。
【図２Ａ】図２Ａ〜図２Ｃは、一実施形態の電子デバイスのアンテナ領域を、折り畳まれた及び展開された構成で、様々なビューイングアングルで示す。
【図２Ｂ】図２Ａ〜図２Ｃは、一実施形態の電子デバイスのアンテナ領域を、折り畳まれた及び展開された構成で、様々なビューイングアングルで示す。
【図２Ｃ】図２Ａ〜図２Ｃは、一実施形態の電子デバイスのアンテナ領域を、折り畳まれた及び展開された構成で、様々なビューイングアングルで示す。
【図３Ａ】図３Ａ〜図３Ｃは、別の実施形態の電子デバイスのアンテナ領域を、折り畳まれた及び展開された構成で、様々なビューイングアングルで示す。
【図３Ｂ】図３Ａ〜図３Ｃは、別の実施形態の電子デバイスのアンテナ領域を、折り畳まれた及び展開された構成で、様々なビューイングアングルで示す。
【図３Ｃ】図３Ａ〜図３Ｃは、別の実施形態の電子デバイスのアンテナ領域を、折り畳まれた及び展開された構成で、様々なビューイングアングルで示す。
【図４Ａ】図４Ａ〜図４Ｃは、別の実施形態の電子デバイスのアンテナ領域を、折り畳まれた及び展開された構成で、様々なビューイングアングルで示す。
【図４Ｂ】図４Ａ〜図４Ｃは、別の実施形態の電子デバイスのアンテナ領域を、折り畳まれた及び展開された構成で、様々なビューイングアングルで示す。
【図４Ｃ】図４Ａ〜図４Ｃは、別の実施形態の電子デバイスのアンテナ領域を、折り畳まれた及び展開された構成で、様々なビューイングアングルで示す。
【図５Ａ】図５Ａ〜図５Ｃは、さらに別の実施形態の電子デバイスのアンテナ領域を、折り畳まれた及び展開された構成で、様々なビューイングアングルで示す。
【図５Ｂ】図５Ａ〜図５Ｃは、さらに別の実施形態の電子デバイスのアンテナ領域を、折り畳まれた及び展開された構成で、様々なビューイングアングルで示す。
【図５Ｃ】図５Ａ〜図５Ｃは、さらに別の実施形態の電子デバイスのアンテナ領域を、折り畳まれた及び展開された構成で、様々なビューイングアングルで示す。
【図６】一実施形態の電子デバイスのグランドプレーン及びスロット構造を示す。
【図７】別の実施形態の電子デバイスのグランドプレーン及びスロット構造を示す。
【図８】一実施形態の電子デバイスのグランドプレーンを示す。
【図９】別の実施形態の電子デバイスのグランドプレーンを示す。
【図１０】一実施形態の電子デバイスにおけるアンテナの配置を示す。
【図１１】別の実施形態の電子デバイスにおけるアンテナの配置を示す。
【図１２Ａ】一実施形態の電子デバイスを示す。
【図１２Ｂ】図１２Ａに示される電子デバイスのハウジングの構成に基づいて補助アンテナをアクティブ化／非アクティブ化する一実施形態のトランシーバ回路を示す。
【図１３Ａ】図１３Ａ〜図１３Ｃは、一実施形態のアクティブチューナネットワークと、従来の同調回路の実施形態回路図を示す。
【図１３Ｂ】図１３Ａ〜図１３Ｃは、一実施形態のアクティブチューナネットワークと、従来の同調回路の実施形態回路図を示す。
【図１３Ｃ】図１３Ａ〜図１３Ｃは、一実施形態のアクティブチューナネットワークと、従来の同調回路の実施形態回路図を示す。
【図１４】本明細書で説明される方法を実行する一実施形態の処理システムのブロック図を示す。
【図１５】電気通信ネットワークを介してシグナリングを送信及び受信するように適合されたトランシーバのブロック図を示す。
【発明を実施するための形態】
【０００８】
本開示は、広範な特定の文脈において具現化できる多くの適用可能な発明的概念を提供する。論じられる特定の実施形態は特定の構成を例示するに過ぎず、発明の範囲を制限しない。
【０００９】
携帯無線デバイスなどの電子デバイスは、折り畳み可能ハウジングを含み、拡張可能なビューイングエリアを提供すると同時に、デバイスが運搬の容易さのため比較的コンパクトなフォームファクタを維持することを依然として可能にする。本明細書で用いられるとき、用語「折り畳み可能ハウジング」は、リンク機構（例えば、ヒンジ、回転又はスライドジョイント等）を介して一緒に結合された２つのパネルを含むコンポーネントの構造配置を参照し、これは、それぞれのパネルに配設されたディスプレイ領域の相対的な幾何学的方向づけ（orientation）を操作するために調整できる。それぞれのパネルに配設されたディスプレイ領域は、同じ可撓性ディスプレイ上の異なるエリアでもよく、あるいは異なるディスプレイ上のエリアでもよい。折り畳み可能ハウジングは、それぞれのパネルに配設されたディスプレイ領域が異なる幾何学的平面上にあるとき「折り畳まれた構成（folded  configuration）」であると言われ、これは、パネルの一方が他方のパネルの背後に折り畳まれ、それにより、ディスプレイ領域が相対の面する方向づけで又は反対方向を向いてのいずれかで重なるときに生じ得る。折り畳み可能ハウジングは、それぞれのパネル上に配設されたディスプレイ領域が実質的に同じ幾何学的平面にあるとき「展開された構成（unfolded  configuration）」であると言われ、これは、パネルの一方が他方のパネルの背後から展開されているか又はその他の方法で拡張されているときに生じ得る。このようにして、電子デバイスは、折り畳み可能ハウジングが折り畳まれた構成に置かれているとき携帯を容易にするための比較的コンパクトなフォームファクタを有すると同時に、折り畳み可能ハウジングが展開された構成に置かれているときユーザにより大きいビューイングエリアを提供する能力を依然として有することができる。
【００１０】
電子デバイスは、一般に、その折り畳み可能ハウジングが展開された構成に置かれているときにより大きい露出表面積を提示し、結果的に、無線デバイスは、その折り畳み可能ハウジングが折り畳まれた構成にあるときよりもそれが展開された構成にあるとき、より複雑なアンテナ構成（例えば、より多数のアクティブアンテナ素子）をサポート可能であり得る。本開示の実施形態は、デバイスの折り畳み可能ハウジングが折り畳まれた構成から展開された構成に移行されるときにさらなるアンテナを動的にアクティブ化し（activate）、デバイスの折り畳み可能ハウジングが折り畳まれた構成に戻されるときにさらなるアンテナを非アクティブ化する（deactivate）、折り畳み可能ハウジングの設計／構成を提供する。一実施形態において、折り畳み可能ハウジングは、折り畳み可能ハウジングが折り畳まれた構成に置かれているときにアンテナのうち１つ以上とグランドプレーンとの間に短絡接続が形成され、折り畳み可能ハウジングが展開された構成に置かれているときに遮断されるように構成される。一例において、短絡接続は、ハウジングが折り畳まれた構成に置かれているときのスイッチの開／閉により形成される。別の例において、短絡接続は、折り畳み可能ハウジングが折り畳まれた構成に置かれているときアンテナがグランドプレーンと直接又は間接接触するような折り畳み可能ハウジングにおけるグランドプレーンに対するアンテナの物理的方向づけによって形成される。
【００１１】
一実施形態において、電子デバイスは、第２のパネルに接続された第１のパネルを含み得るハウジングを備える。第１のアンテナが第１のパネルに位置してもよく、第２のアンテナが第２のパネルに位置してもよい。電子デバイスは、第１のパネルの表側における第１のディスプレイと、第２のパネルの表側における第２のディスプレイとをさらに含んでもよい。折り畳まれた構成において、第１のディスプレイは、独立してアクティブ化されてもよく、第２のアンテナは、第１のパネルの裏側のグランドプレーンに第２のアンテナを短絡することにより非アクティブ化されてもよい。展開された構成において、第１のディスプレイ及び第２のディスプレイが双方アクティブでもよい。この実施形態において、電子又は機械スイッチが、ハウジングが展開された構成にあるとき第２のアンテナをアクティブ化することができ、データ信号が、一方又は双方のアンテナを使用して送信／受信されてもよい。アクティブ化されたアンテナの全てより少数が、所与の期間中にデータ信号を同時に送信／受信するために使用されるとき、データ送信に使用されるアンテナは、受信信号強度指標（received  signal  strength  indication、ＲＳＳＩ）、受信信号符号電力（received  signal  code  power、ＲＳＣＰ）、ビット誤り率（bit  error  rate、ＢＥＲ）、シンボル誤り率（symbol  error  rate、ＳＥＲ）、否定応答（negative  acknowledgement、ＮＡＫ）／肯定応答（acknowledgement、ＡＣＫ）比率、リンク制御に基づく情報、又は電力制御ビット（power  control  bit、ＰＣＢ）のうち１つ以上に従って選択されてもよい。複数のアンテナがデータ送信に使用されるとき、第１のアンテナ及び第２のアンテナはダイバーシティアンテナとして動作し、複数入力及び複数出力（multiple-input  and  multiple-output、ＭＩＭＯ）データ送信／受信に使用されてもよい。
【００１２】
一実施形態において、第１のグランドプレーン領域が、第１のディスプレイの下に位置してもよく、第２のグランドプレーン領域が、第２のディスプレイの下に位置してもよく、第１のグランドプレーン及び第２のグランドプレーンは、共通グランドプレーンの一部である。グランドプレーンスロット構造が、第１のグランドプレーン領域と第２のグランドプレーン領域との間に位置してもよく、第１のアンテナを第２のアンテナから電気的に隔離する（isolate）ことができる。グランドプレーンスロット構造は、デバイスアンテナのうち１つの動作周波数の４分の１波長に対応する近似電気長を有する誘電体（dielectric）又は共振器でもよい。グランドプレーンスロット構造は、データ又は電力信号のうち１つ以上が第１のパネルと第２のパネルとの間でルーティングされることを可能にするための開口を有してもよい。
【００１３】
一実施形態において、第３のアンテナを含む第３のアンテナ領域が第２のパネルに設けられてもよい。第３のアンテナは第１のアンテナから電気的に隔離でき、ハウジングが展開された構成にあるとき第１のアンテナの代替とすることができる。
【００１４】
図１Ａ〜図１Ｄは、折り畳まれた構成１０１（図１Ａ〜図１Ｂ）と展開された又は「開いた」構成１０２（図１Ｃ〜図１Ｄ）との間で調整可能なハウジング１０４を含む一実施形態の電子デバイス１００を示す。ハウジングは、第１及び第２のセクション１０６、１０８をそれぞれ含む。ハウジングセクション１０６は、外面１０６ａと内面１０６ｂを含む。同様に、ハウジングセクション１０８は、外面１０８ａと内面１０８ｂを含む。ハウジング部分１０６、１０８は、ハウジング部分１０６、１０８の相対的な移動を可能にする折り畳みライン、ヒンジ、又は他の適切な構造の形態とすることができる表面１１２に沿って互いに接続された別々のセクションの形態とすることができる。表面１１２は連続的でもよく、あるいは非連続的でもよい。電子デバイス１００のハウジングが折り畳まれた構成１０１にあるとき、電子デバイス１００の補助ディスプレイ領域１３０が電子デバイス１００の主ディスプレイ領域１１０の背後に折り畳まれ、あるいは少なくとも部分的に重なり、それにより、主ディスプレイ領域１１０と補助ディスプレイ領域１３０とは異なる幾何学的平面１１４、１１６上にあり、外部に面して双方のディスプレイをユーザに可視にする。この構成において、第１のハウジング部分１０６の外面１０６ａは、一般に、第２のハウジング部分１０８の外面１０８ａと接触している。図１Ａ〜図１Ｄはハウジング１０４を外向きのものとして示し、それにより、ハウジング１０４が折り畳まれた構成１０１にあるとき、ディスプレイ領域１１０、１３０は互いに外方を向いて（face  away）露出され、あるいはその他の方法で可視であるが、実施形態のハウジングは内向きに折り畳まれるように構成されてもよく、それにより、それぞれのディスプレイ領域１１０、１３０は互いに面し、要素から保護されることを理解されたい。他の例もまた可能である。例えば、一実施形態のハウジングが、一方のディスプレイ領域が他方のディスプレイ領域の背後に折り畳め、あるいはその他の方法でスライドするように構成されてもよく、この場合、ディスプレイ領域の一方が晒され及び／又は可視であると同時に、他方のディスプレイ領域は要素から保護される。
【００１５】
展開された構成１０２において、電子デバイス１００の補助ディスプレイ領域１３０は主ディスプレイ領域１１０の背後から拡張され、あるいはその他の方法で主ディスプレイ領域１１０に沿って位置づけられ、それにより、主ディスプレイ領域１１０と補助ディスプレイ領域１３０とは、同じ又は実質的に類似の幾何学的平面１１６上にある。
【００１６】
電子デバイス１００のハウジングは、主ディスプレイ領域１１０及び／又は補助ディスプレイ領域１３０が本明細書に記載される方法で操作されることを可能にする任意の機械的支持構造を含んでもよい。例えば、電子デバイス１００のハウジングは、主ディスプレイ領域１１０及び補助ディスプレイ領域１３０に貼り付けられたパネルと、ハウジングが折り畳まれた構成１０１から展開された構成１０２に、及びその逆もまた同様に調整されることを可能にするように適合されたそれぞれのパネルを結合するリンク機構（例えば、ヒンジ、回転又はスライドジョイント等）とを含んでもよい。別の例として、パネルは、互いに結合されたときに１つのデバイスに構成可能な別個のデバイスでもよい。結合の動作は、一方のパネル上のディスプレイ領域を他方のパネル上の主ディスプレイに対する補助ディスプレイとしてアクティブ化する。
【００１７】
電子デバイス１００のハウジングは、一般に、導電性金属（例えば、アルミニウム、マグネシウム等）、プラスチック（ポリカーボネート等）、ガラス（例えば、アルミノケイ酸塩ガラス等）、及び／又は同様の剛性、強度、及び／又は耐久性を提供する他の材料（例えば、合成物）から構成される。一実施形態において、パネル内の金属の部分が外部アンテナとして使用されてもよい。別の実施形態において、パネルは金属で作られてプラスチック又はガラスの開口を有してもよく、あるいは内部アンテナの受信又は送信を可能にするようにプラスチック又はガラスで作られてもよい。
【００１８】
一実施形態において、電子デバイス１００は、例えば、ユーザの手がアンテナによる無線信号の送信／受信に干渉した結果として、アンテナの離調を感知するインピーダンス感知回路を有するアクティブアンテナチューナネットワークを有してもよい。アクティブアンテナチューナネットワーク及び同調回路のいくつかの例が図１３Ａ〜図１３Ｃに示され、これらは以下でより詳細に説明される。アクティブアンテナチューナネットワークは、同調可能（tunable）キャパシタのキャパシタンスを変化させるか又は同調回路に接続されたスイッチの状態を切り替えることにより、不整合を補正することができる。別の実施形態において、電子デバイス１００は、同調可能キャパシタ又はスイッチを有するアクティブ同調可能アンテナを有し、アンテナ開口又は整合を再構成してもよい。電子デバイス１００は、デバイスの折り畳み状態を取得し、同調可能キャパシタ又はスイッチを再構成して最適なアンテナ性能を達成する。
【００１９】
主ディスプレイ領域１１０及び補助ディスプレイ領域１３０は、同じ表示画面又は異なる表示画面に属してよい。一実施形態において、主ディスプレイ領域１１０及び補助ディスプレイ領域１３０は、同じ連続的な可撓性ディスプレイ上の異なる領域である。このような実施形態において、可撓性ディスプレイは、ハウジングが折り畳まれた構成１０１にあるとき、補助ディスプレイ１３０が主ディスプレイ１１０の周囲及び背後で曲げられることを可能にするように操作されてもよい。
【００２０】
電子デバイス１００は、主ディスプレイ領域１１０とほぼ同じサイズ及び形状の単一の補助ディスプレイ領域１３０を含むように示されているが、他の実施形態において、電子デバイスは、様々な形状及びサイズの複数の補助ディスプレイを有してもよいことを理解されたい。一例として、さらなる補助ディスプレイは、デバイスの主ディスプレイの背後の折り畳まれたアコーディオン様式でもよい。別の実施形態（図示せず）において、補助ディスプレイの全てでなくいくつかが展開され、見え得ると同時に、他の補助ディスプレイは電子デバイス１００の背後に隠されたままである。
【００２１】
補助ディスプレイ１３０はさらなるビューイングエリアを提供し、有利には、電子デバイス１００内に付加的なアンテナ配置領域を提供する。本開示の実施形態は、拡張可能ディスプレイを有する無線デバイスにおけるアンテナの様々な配置及びそれらの選択について詳述する。
【００２２】
一般に、各アンテナは、デバイスの他アンテナから放射する信号に対して信号干渉を低減するように戦略的に置かれる。隔離性（isolation）を改善する１つの有効な方法は、アンテナを互いから物理的に分離することによる。隔離性を改善する別の方法は、アンテナの偏波（polarization）が互いに直交するようにアンテナを置くことによる。一例として、アンテナは、信号結合がその距離に応じて一般に低減されるため、互いに関して水平及び／又は垂直のオフセットで配置されてもよい。別の例として、アンテナは、異なる偏波を作り出すように互いに垂直に置かれてもよい。
【００２３】
大抵の現代の無線デバイスは、複数の種類のいくつかのアンテナを有する。一般に、無線デバイスは、一次セルラーアンテナ、ダイバーシティセルラーアンテナ、全地球測位衛星（global  positioning  satellite、ＧＰＳ）アンテナ、ＷＩＦＩアンテナ、及び近距離通信（near  field  communication、ＮＦＣ）アンテナを有することがある。特定の通信目標を達成するために、他のアンテナが含まれてもよい。あるいは、例えば、無線デバイスのサイズ、複雑さ、及び／又はコストを低減するために、いくつかのアンテナが省略されてもよい。さらに、性能を向上させるために、又は一次アンテナの代替として、無線デバイスは、各タイプのアンテナのうちの１つ以上を有してもよい。いくつかの非セルラーアンテナは、例えばＧＰＳアンテナなどにおいて、受信機用でもよく、一方、他の非セルラーアンテナは、例えばＷＩＦＩアンテナなどにおいて、送信機及び受信機用でもよい。
【００２４】
セルラーデバイスにおいて、一次セルラーアンテナは一次通信アンテナであり、アナログ及びデジタル信号の送信及び受信を担う。一般に、モバイルフォンでは、一次セルラーアンテナの位置はセルラーデバイスの下側垂直位置にある。これは、典型的には、アンテナのバルクを人間の頭部から離すことにより比吸収率（specific  absorption  rate、ＳＡＲ）を低減させ、総合放射電力（total  radiated  power、ＴＲＰ）を増加させるために行われる。
【００２５】
一次セルラーアンテナは、典型的には、平面逆Ｆアンテナ（planar  inverted-F  antenna、ＰＩＦＡ）、折り畳み逆Ｆアンテナ、モノポールアンテナ、ループアンテナ、マイクロストリップパッチアンテナ、折り畳み逆コンフォーマルアンテナタイプ、又は前述若しくは他のタイプのアンテナのいずれかの改修版でもよい。一般に、多くの異なるタイプのアンテナが、異なる搬送波に特有の様々な規制及びシステム要件をサポートするために使用されてもよい。
【００２６】
いくつかのデバイスでは、一次セルラーアンテナの代替として二次セルラーアンテナ又はダイバーシティアンテナが追加される。典型的なアンテナ構成において、二次セルラーアンテナ又はダイバーシティアンテナは受信専用である（あるいは送信ダイバーシティがサポートされるときは受信及び送信用である）。信号が、例えばセルラータワーから無線セルラーデバイスに送信されているとき、受信デバイスは、信号の反射及び分散の結果として、マルチパス伝搬に起因して、元の信号の２つ以上のコピーを受信することがある。二次セルラーアンテナは、一次セルラーアンテナと同じアンテナタイプでもよい。あるいは、二次セルラーアンテナは、一次セルラーアンテナと同じ周波数で動作する異なるタイプのアンテナでもよい。
【００２７】
複数のダイバーシティアンテナを有する無線デバイスでは、無線データモデムは、複数のアンテナで受信された様々な信号コピーから最も強い信号を選択する。あるいは、無線データモデムは、異なるパスからの信号を組み合わせ及び重み付けすることにより、受信信号を組み合わせて受信信号の受信信号電力レベル及び信号対雑音比（signal  to  noise  ratio、ＳＮＲ）を増加させてもよい。さらに、アンテナダイバーシティ方式では、複数の方法が使用されて信号の信頼性を高めることができる。
【００２８】
ダイバーシティアンテナに追加で、現代のセルラーデバイスは、複数入力及び複数出力（multiple-input  and  multiple-output、ＭＩＭＯ）技術を利用してもよい。典型的には、簡素な無線通信システムは、通常、単一入力及び単一出力（single-input  and  single-output、ＳＩＳＯ）タイプである。ＳＩＳＯシステムでは、単一のアンテナが送信機として使用され得、単一のアンテナが受信機として使用され得る。
【００２９】
ＭＩＭＯは、複数のアンテナを使用してマルチパス伝搬を利用し、同じ無線チャネルを介して同時に信号を送信及び受信するスマートアンテナ技術である。ＭＩＭＯ技術は、信号の信頼性を改善するためのダイバーシティタイプのもの、又はデータスループットを増加させる空間多重化タイプのものであり得る。信頼性とデータスループットの双方を改善する他のＭＩＭＯタイプ手法が利用可能である。全ての例において、ＭＩＭＯは、複数のアンテナに依存して無線通信性能を改善する。
【００３０】
ＭＩＭＯ技術は、通信パスの送信又は受信端の各々に２つ以上のアンテナを有し得る。２×２のＭＩＭＯは、２つのアンテナが送信端にあり、２つのアンテナが受信端に配置される構成である。４×４のＭＩＭＯは、４つのアンテナが送信端にあり、４つのアンテナが受信端にある構成である。別の例として、８×８のＭＩＭＯは、送信及び受信端の各々に８つのアンテナを有する構成である。一般に、アンテナの数がより多いほど、帯域幅容量、データ速度転送、及び信号信頼性がより大きい。
【００３１】
無線デバイスにおける一次及びダイバーシティアンテナの物理的な近接は、異なるアンテナからの受信信号の相関に寄与し、結果として、ダイバーシティ利得及びＭＩＭＯスループットを低減させる可能性がある。典型的には、ダイバーシティアンテナは、それと一次アンテナとの間の距離を最大化するようにセルラーデバイスの上側垂直位置に配置される。
【００３２】
一実施形態において、隔離性を高め、拡張されるディスプレイを有するデバイスにおける一次及び二次アンテナ間の相関を低減させるアンテナ配置が開示される。別の実施形態において、グランドプレーンスロット構造は、２つのグランドプレーン領域を分離して隔離性を改善し、アンテナ間の相関を低減させる。
【００３３】
図２Ａ〜図２Ｃは、本開示の一実施形態の電子デバイス２００をそのいくつかの構成で示す。図２Ａ〜図２Ｃに示す電子デバイス２００は、図１Ａ〜図１Ｄに示す電子デバイス１００の一例示的な実施形態である。
【００３４】
図２Ａにおいて、電子デバイス２００は展開された構成で示され、主パネル２１０の上に位置する主ディスプレイ領域１１０と、補助パネル２２０の上に位置する補助ディスプレイ領域１３０とが見える。主パネル２１０の裏側のパネルは、補助パネル２２０の裏側に位置するアンテナが電子デバイス２００の折り畳まれた構成においてグランドプレーン２５０（図２Ｃ）に短絡されているとき、アンテナを非アクティブ化するために接地するように短絡され得る。
【００３５】
一実施形態において、主パネル２１０は、少なくとも第１のアンテナ領域２３０を含むことができる。第１のアンテナ領域２３０は、電子デバイス２００の直立した通常の動作状態に対応して、主ディスプレイ領域１１０の垂直下方に位置してもよい。さらなるアンテナ領域（図示せず）が、主ディスプレイ領域１１０の垂直上方に、主ディスプレイ領域１１０の水平縁部に、又は主パネル２１０の他の有利な場所に位置してもよい。
【００３６】
一実施形態において、補助パネル２２０は、電子デバイス２００の直立した通常の動作状態に対応して、補助ディスプレイ領域２２０の垂直下方に位置する第２のアンテナ領域２４０を含むことができる。主パネル２１０と同様に、さらなるアンテナ領域（図示せず）が、補助ディスプレイ領域１３０の垂直上方に、補助ディスプレイ領域１３０の水平縁部に、又は補助パネル２２０の他の有利な場所に位置してもよい。一般に、さらなるアンテナ領域の提供は、アンテナの配置及び選択におけるより大きい柔軟性を可能にする。
【００３７】
各々の第１のアンテナ領域２３０及び第２のアンテナ領域２４０は、異なる又は同じタイプの内部又は外部アンテナの１つ以上を含むことができる。一実施形態において、一次セルラーアンテナは、第１のアンテナ領域２３０に位置してもよい。ＷＩＦＩ又はＧＰＳアンテナなどのさらなるアンテナが、第１のアンテナ領域２３０内の一次セルラーアンテナに隣接して位置づけられてもよい。一実施形態において、ダイバーシティ又は他の非セルラータイプアンテナが、主パネル２１０の他の場所に位置してもよい。
【００３８】
一実施形態において、第２のアンテナ領域２４０は、ダイバーシティ又は非セルラータイプアンテナの１つ以上を含むことができる。あるいは、別の実施形態において、第２のアンテナ領域２４０は、ダイバーシティ又はＭＩＭＯタイプ構成において一次セルラーアンテナに対する代替又は追加のアンテナとして動作するセルラータイプのものでもよい。一実施形態において、ダイバーシティ又は他の非セルラータイプアンテナが、補助パネル２２０の他の場所に位置してもよい。
【００３９】
図２Ａに示すように、第１のアンテナ領域２３０及び第２のアンテナ領域２４０は、展開された構成において互いに垂直及び／又は水平オフセットを有することができる。これらの領域内のアンテナが同じ周波数で動作している場合、オフセットはアンテナの動作性能を改善し、相互干渉（co-interference）を低減させる。
【００４０】
図２Ｂは、補助パネル２２０が電子デバイス２００の主パネル２１０の背後に折り畳まれている一実施形態を示す。この折り畳まれた構成において、主ディスプレイ領域１１０はユーザに見え得る。第１のアンテナ領域２３０と第２のアンテナ領域２４０との間のオフセットは、一方の領域に位置するアンテナの、他方の領域に位置するアンテナとの、折り畳まれた構成における重なりを防止する。
【００４１】
図２Ｃは、電子デバイス２００の側面図を示す。折り畳まれた構成のこの側面図において、補助パネル２２０内のアンテナは、アンテナが主パネル２１０の裏側のグランドプレーン２５０に短絡されているとき非アクティブ化される。接点が、補助パネル２２０内のアンテナを主パネル２１０の裏側に位置するグランドプレーンに短絡させる。
【００４２】
図３Ａ〜図３Ｃは、本開示の別の実施形態の電子デバイス３００をその構成のいくつかで示す。図３Ａ〜図３Ｃに示す電子デバイス３００は、図１Ａ〜図１Ｄに示す電子デバイス１００の一例示的な実施形態である。
【００４３】
図３Ａは、展開された構成の電子デバイス３００を示す。電子デバイス３００は、主ディスプレイ領域１１０、第１のアンテナ領域２３０を有する主パネル２１０と、補助ディスプレイ領域１３０及び第２のアンテナ領域２４０を有する補助パネル２２０とを含む。有利には、電子デバイス３００は、補助パネル２２０内に誘電体構造３５０を含む。さらなる誘電体構造３５０は、補助パネル２２０のサイズを主パネル２１０のほぼ同じサイズであるように拡大する。
【００４４】
図３Ｂ〜図３Ｃは、折り畳まれた構成において第１のアンテナ領域２３０が誘電体構造３５０と重なることを示す。図２Ａ〜図２Ｃの実施形態と同様に、電子デバイス３００の補助パネル２２０内の外部アンテナ、例えば第２のアンテナ領域２４０に位置するものなどは、折り畳まれた構成において主パネル２１０の裏側のグランドプレーン２５０に短絡することにより非アクティブ化される。
【００４５】
図４Ａ〜４Ｃは、本開示のさらに別の実施形態の電子デバイス４００をその構成のいくつかで示す。図４Ａ〜図４Ｃに示す電子デバイス４００は、図１Ａ〜図１Ｄに示す電子デバイス１００の一例示的な実施形態である。
【００４６】
図４Ａは、展開された構成の電子デバイス４００を示す。電子デバイス４００は、主ディスプレイ領域１１０及び第１のアンテナ領域２３０を有する主パネル２１０と、補助ディスプレイ領域１３０及び第２のアンテナ領域２４０を有する補助パネル２２０とを含む。有利には、電子デバイス４００は、補助パネル２２０内に第３のアンテナ領域４５０を有する。第３のアンテナ領域４５０は、電子デバイス４００の直立した通常の動作状態に対応して、第２のアンテナ領域２４０に対し垂直であり、主パネル２１０に対向する補助パネル２２０の縁部にある。
【００４７】
第３のアンテナ領域４５０は、第１のアンテナ領域２３０に位置する一次セルラーアンテナとペアにされ得る一次セルラーアンテナの１つ以上を含むことができる。このさらなるアンテナは、さらなるアンテナ選択ダイバーシティを提供し得る。さらに、このさらなるアンテナは、電子デバイス４００が展開された構成にあるとき一次セルラーアンテナ又はダイバーシティセルラーアンテナの代替アンテナとして、又は高次ＭＩＭＯ及びダイバーシティ動作のためのダイバーシティアンテナとして使用されてもよい。代替的な実施形態において、他の非セルラータイプアンテナが第３のアンテナ領域４５０に追加的に又は代替的に位置してもよい。
【００４８】
図４Ｂは、電子デバイス４００の前面図をその折り畳まれた構成で示す。図４Ｃは、図４Ｂの実施形態の側面図を示す。この折り畳まれた構成において、補助パネル２２０に位置する外部アンテナは、主パネル２１０の裏側に位置するグランドプレーン２５０に短絡され得る。図に示すように、第２のアンテナ領域２４０と第３のアンテナ領域４５０は、折り畳まれた構成において第１のアンテナ領域２３０に重ならない。
【００４９】
図５Ａ〜図５Ｃは、本開示のさらに別の実施形態の電子デバイス５００をその構成のいくつかで示す。図５Ａ〜図５Ｃに示す電子デバイス５００は、図１Ａ〜図１Ｄに示す電子デバイス１００の一例示的な実施形態である。
【００５０】
図５Ａは、展開された構成の電子デバイス５００を示す。電子デバイス５００は、主ディスプレイ領域１１０及び第１のアンテナ領域２３０を有する主パネル２１０と、補助ディスプレイ領域１３０、第２のアンテナ領域２４０、及び第３のアンテナ領域４５０を有する補助パネル２２０とを含む。有利には、電子デバイス５００は、補助パネル２２０内に誘電体構造５６０を有する。
【００５１】
図５Ｂは、電子デバイス５００の前面図をその折り畳まれた構成で示す。図５Ｃは、図５Ｂの実施形態の側面図を示す。図５Ｂ〜図５Ｃは、折り畳まれた構成において第１のアンテナ領域２３０が誘電体構造５６０と重なることを示す。図４Ａ〜図４Ｃに示す実施形態の電子デバイス４００と同様に、第２のアンテナ領域２４０及び第３のアンテナ領域４５０に位置する外部アンテナは、折り畳まれた構成においてアンテナを主パネル２１０の裏側のグランドプレーン領域２５０に短絡させることにより非アクティブ化される。
【００５２】
図６は、主パネル２１０及び補助パネル２２０のグランドプレーン領域６７０、６７２（それぞれ）を示し、これらは、図２Ａ〜図２Ｃの電子デバイス２００の主ディスプレイ領域１１０及び補助ディスプレイ領域１３０（それぞれ）の下に位置する。主ディスプレイ領域１１０及び補助ディスプレイ領域１３０の下に位置するグランドプレーン領域６７０、６７２が明確に見えるように、主ディスプレイ領域１１０及び補助ディスプレイ領域１３０は図６に示されていないことに留意されたい。グランドプレーン領域６７０、６７２は、共通グランドプレーンの一部でもよいことを理解されたい。グランドプレーン領域６７０は、主ディスプレイ領域１１０の下に位置する。グランドプレーン領域６７０は、ハウジングが折り畳まれた構成にあるとき領域２４０内のアンテナのグランドプレーンへの短絡を容易にするために、領域２３１に部分的に拡張してもよい。グランドプレーン領域６７２は、補助ディスプレイ領域１３０の下に位置する。グランドプレーン領域６７０、６７２は、一般に、銅などの導電性材料から構成される。
【００５３】
いくつかのパネルに位置する複数のアンテナを有する折り畳み可能無線デバイスにおいて、折り畳み及び展開は、各アンテナの互いの相対的位置を変化させることができる。相対的位置の変化は、デバイスのインピーダンス特性の変化をもたらし得る。主パネル２１０に位置するアンテナ、例えば、電子デバイス２００の第１のアンテナ領域２３０に位置するアンテナなどは、展開の結果として離調され得る。結果として、インピーダンス変化を最小化するために、適応的又は受動的アンテナ同調方法が導入されてもよい。
【００５４】
一実施形態において、第１のグランドプレーン領域６７０と第２のグランドプレーン領域６７２とを分離するグランドプレーンスロット構造６７４が、デバイス２００が展開された構成にあるときのアンテナ隔離性を改善し、第１のアンテナ領域２３０及び第２のアンテナ領域２４０に位置づけられたアンテナ間のアンテナ相関を低減させることができる。
【００５５】
図６に示される実施形態において、第１のグランドプレーン領域６７０及び第２のグランドプレーン領域６７２は、２つのディスプレイの縁部で、垂直に置かれたグランドプレーンスロット構造６７４により分離される。グランドプレーンスロット構造６７４は、電気デバイス２００のアンテナの動作周波数の４分の１波長にほぼ等しい電気長を有することができる。一例として、グランドプレーンスロット構造６７４は、約３０ｍｍの長さを有し、２．５ＧＨｚで動作する２つのアンテナに付加的な隔離を提供し得る。
【００５６】
グランドプレーンスロット構造６７４は、狭いルーティングチャネル６７６を有し、主パネル２１０と補助パネル２２０との間に位置する回路間でＲＦ及びデジタル信号を通過させることを可能にしてもよい。
【００５７】
グランドプレーンスロット構造６７４は、複数のアンテナ間の共振器帯域阻止フィルタとして動作することにより相互結合を抑制する。一実施形態において、グランドプレーンスロット構造６７４は共振器又は誘電体であり得る。グランドプレーンスロット構造６７４を作成するさらなる方法が使用されて、同様の結果を達成してもよい。一例として、異なる長さを有する複数のスロットが使用されて、複数の帯域での隔離性を高めることができる。別の実施形態において、グランドプレーンスロット構造６７４は複数の分岐（図示せず）を有することができ、各分岐は異なる長さを有し、複数の帯域にわたり隔離性を高めることができる。アンテナのカバレッジにわたる高隔離帯域をターゲットとするグランドプレーンスロット構造６７４の有効電気長は、ＲＦスイッチ又は同調可能キャパシタにより電気的に同調可能である。従来の同調回路のいくつかの例が図１３Ｂ及び１３Ｃに示されており、これらは以下でより詳細に説明される。
【００５８】
図７は、主パネル２１０及び補助パネル２２０のグランドプレーン領域６７０、６７２（それぞれ）を示し、これらは、図３Ａ〜図３Ｃの電子デバイス３００の主ディスプレイ領域１１０及び補助ディスプレイ領域１３０（それぞれ）の下に位置する。主ディスプレイ領域１１０及び補助ディスプレイ領域１３０の下に位置するグランドプレーン領域６７０、６７２が明確に見えるように、主ディスプレイ領域１１０及び補助ディスプレイ領域１３０は図７に示されていない。グランドプレーン領域６７０は、ハウジングが折り畳まれた構成にあるとき領域２４０内のアンテナのグランドプレーンへの短絡を容易にするために、領域２３１に部分的に拡張してもよい。グランドプレーン領域６７０、６７２は、狭い開口６７６を含むグランドプレーンスロット構造６７４により分離される。
【００５９】
図８は、元々図４Ａ〜図４Ｃに示す電子デバイス４００の主ディスプレイ領域１１０及び補助ディスプレイ領域１３０の下にそれぞれ位置する主パネル２１０及び補助パネル２２０のグランドプレーン領域８７０、８７２を示す。主ディスプレイ領域１１０及び補助ディスプレイ領域１３０の下に位置するグランドプレーン領域８７０、８７２（それぞれ）が明確に見えるように、主ディスプレイ領域１１０及び補助ディスプレイ領域１３０は図８に示されていない。グランドプレーン領域６７０、６７２は、共通グランドプレーンの一部でもよいことを理解されたい。グランドプレーン領域８７０は、ハウジングが折り畳まれた構成にあるとき領域２４０内のアンテナのグランドプレーンへの短絡を容易にするために、領域２３１に部分的に拡張してもよい。
【００６０】
図９は、元々図５Ａ〜図５Ｃに示す電子デバイス５００の主ディスプレイ領域１１０及び補助ディスプレイ領域１３０の下にそれぞれ位置する主パネル２１０及び補助パネル２２０のグランドプレーン領域８７０を示す。電子デバイス４００と同様に、連続グランドプレーン領域が、主ディスプレイ領域１１０の下のエリアから補助ディスプレイ領域１３０の下のエリアを通じて拡張し、このグランドプレーン領域は、領域２３１に拡張して、折り畳まれた構成において領域２４０内のアンテナのグランドプレーンへの短絡を容易にしてもよい。
【００６１】
図８及び図９に示す電子デバイス４００及び５００において、補助パネル２２０の第３のアンテナ領域４５０内に位置するアンテナは、主パネル２１０の第１のアンテナ領域２３０内に位置する一次セルラーアンテナに対する代替及び／又はダイバーシティアンテナでもよい。第２のアンテナ領域２４０に位置づけられたアンテナは、非セルラーアンテナ又はダイバーシティアンテナでもよい。第１のアンテナ領域２３０及び第３のアンテナ領域４５０内のセルラーアンテナは、それらの物理的距離及び／又は偏波により互いに隔離される。したがって、さらなるグランドプレーンスロット構造６７４は不要であり得る。図８及び図９の電子デバイス４００及び５００は、前述のグランドプレーンスロット構造６７４を有していないが、電子デバイス４００及び５００におけるグランドプレーンスロット構造６７４の追加は、隔離性を改善してアンテナ間の相互結合を低減させることができ、有利な可能性がある。
【００６２】
図１０は、電子デバイス２００の様々なアンテナ領域における可能なアンテナ配置を示す一実施形態である。同様のアンテナの配置を電子デバイス３００に適用可能である。図示のアンテナ配置は、折り畳み可能な電子デバイスにおける多くの可能なアンテナの配置のうち１つを表す。図示のように、主パネル２１０の第１のアンテナ領域２３０に対して対向縁部に位置するさらなるアンテナ領域１０９２が示されており、これはさらなるアンテナ配置場所として使用されてもよい。同様に、補助パネル２２０の第２のアンテナ領域２４０に対して対向縁部に位置するさらなるアンテナ領域１０９４が示されており、これはさらなるアンテナ配置場所として使用されてもよい。さらなるアンテナ場所（図示せず）がさらに使用されてもよい。
【００６３】
一実施形態において、２つのアンテナが、主パネル２１０の第１のアンテナ領域２３０に互いに隣接して位置づけられる。最大アンテナ１０７０（ＡＮＴ０）は、セルラーアンテナでもよい。より小さいアンテナ１０７２（ＡＮＴ２）は、１０７０（ＡＮＴ０）と異なる周波数帯で動作する一次セルラーアンテナ、又はＧＰＳ又はＷＩＦＩアンテナなどのダイバーシティアンテナ又は非セルラーアンテナの１つでもよい。
【００６４】
さらに、主パネル２１０の上部アンテナ領域１０９２において、３つのアンテナが互いに隣接して位置づけられる。第３のアンテナ１０７８（ＡＮＴ３）及び第４のアンテナ１０７４（ＡＮＴ４）は、ダイバーシティアンテナ及び／又は非セルラーアンテナのうち１つでもよい。より大きいアンテナ１０７６（ＡＮＴ１）は、信号を送信及び受信できるセルラーアンテナ、又は低帯域で動作するダイバーシティアンテナでもよい。ＡＮＴ１は、一次セルラーアンテナＡＮＴ０  １０７０の追加で又は代替としてアクティブ化されてもよい。
【００６５】
一実施形態において、補助パネル２２０の第２のアンテナ領域２４０において、２つのアンテナ（ＡＮＴ７  １０８４及びＡＮＴ８  １０８６）が互いに隣接して配置されてもよい。補助パネル２２０の上部アンテナ領域１０９４において、２つのさらなるアンテナ（ＡＮＴ５  １０８０及びＡＮＴ６  １０８２）もまた互いに隣接して配置される。４つのアンテナＡＮＴ５〜８  １０８０〜１０８６は、ダイバーシティ及び／又は非セルラータイプのアンテナでもよく、より高次のダイバーシティ、ＭＩＭＯアンテナ、又は主パネル２１０内のアンテナの代替アンテナとして使用できる。
【００６６】
図１１は、電子デバイス４００の様々なアンテナ領域における可能なアンテナ配置を示す一実施形態である。同様のアンテナの配置を電子デバイス５００に適用可能である。図示のアンテナ配置は、折り畳み可能な電子デバイスにおける多くの可能なアンテナの配置のうち１つを表す。第１のアンテナ領域２３０に追加で、主パネル２１０の対向縁部に位置するさらなる領域１０９２が示されており、これはさらなるアンテナの配置として使用できる。同様に、補助パネル２２０の第２のアンテナ領域２４０に対して対向縁部に位置するさらなる領域１０９４が示されており、これは補助パネル２２０内のさらなるアンテナの配置として使用できる。さらなるアンテナ配置場所（図示せず）がアンテナ配置に使用されてもよい。
【００６７】
一実施形態において、図１０に示す電子デバイス２００と同様に、電子デバイス４００は、互いに隣接して位置づけられ得る２つのアンテナを有する第１のアンテナ領域２３０を主パネル２１０内に有する。最大アンテナ１０７０（ＡＮＴ０）は、セルラーアンテナでもよい。より小さいアンテナ１０７２（ＡＮＴ２）は、１０７０（ＡＮＴ０）と異なる周波数帯域で動作する一次セルラーアンテナ、又はダイバーシティアンテナ又は非セルラーアンテナタイプのうち１つでもよい。さらに、主パネル２１０の上部領域１０９２において、３つのアンテナが互いに隣接して位置づけられる。第３のアンテナ１０７８（ＡＮＴ３）及び第４のアンテナ１０７４（ＡＮＴ４）は、ダイバーシティアンテナ及び／又は非セルラーアンテナのうち１つでもよい。より大きいアンテナ１０７６（ＡＮＴ１）は、信号を送信及び受信できるセルラーアンテナ、又は低帯域で動作するダイバーシティアンテナでもよい。ＡＮＴ１  １０７６は、一次セルラーアンテナＡＮＴ０  １０７０の追加で又は代替としてアクティブ化されてもよい。
【００６８】
補助パネル２２０の第２のアンテナ領域２４０において、２つのアンテナ（ＡＮＴ７  １０８４及びＡＮＴ８  １０８６）が互いに隣接して配置されてもよい。補助パネル２２０の上部領域１０９４において、２つのさらなるアンテナ（ＡＮＴ５  １０８０及びＡＮＴ６  １０８２）が互いに隣接して配置されてもよい。４つのアンテナＡＮＴ５〜８  １０８０〜１０８６は、ダイバーシティ及び／又は非セルラータイプのアンテナでもよく、より高次の（４×４、８×８）ダイバーシティ、ＭＩＭＯアンテナ、又は主パネル２１０内のアンテナの代替アンテナとして使用できる。
【００６９】
補助パネル２２０の第３のアンテナ領域４５０において、２つのアンテナ（ＡＮＴ０＿ＡＬＴ  １１９０及びＡＮＴ１＿ＡＬＴ  １１８８）が互いに隣接して配置されてもよい。ＡＮＴ０＿ＡＬＴ  １１９０及びＡＮＴ１＿ＡＬＴ  １１８８は、展開された構成において一次アンテナＡＮＴ０  １０７０及びＡＮＴ１  １０７６の代替として使用されるセルラーアンテナでもよい。アンテナＡＮＴ０  １０７０及びＡＮＴ１  １０７６と同様に、アンテナＡＮＴ０＿ＡＬＴ  １１９０及びＡＮＴ１＿ＡＬＴ  １１８８は、展開された構成において信号を送信及び受信するために使用されてもよい。
【００７０】
図１０及び図１１におけるアンテナの配置は、ＭＩＭＯ、ダイバーシティ手法、又は同様の結果を達成するために選択され得る任意の他タイプの複数アンテナ構成を実現するために有利に位置づけられた、複数のアンテナの一実施形態構成を示す。
【００７１】
一般に、電子デバイス２００、３００、４００、及び５００は、折り畳まれた構成又は展開された構成のいずれかで動作し得る。デバイスがその折り畳まれた又は展開された構成のうち１つにあるとき、アンテナを選択及びアクティブ化するために、いくつかの方法が実現されてもよい。補助パネル２２０の様々な領域のうち１つに位置する外部アンテナが、折り畳まれた構成において主パネル２１０の裏側に位置するグランドプレーンに短絡され、非アクティブ化されてもよい。
【００７２】
前述のように、電子デバイス１００は、複数の種類のいくつかのアンテナを有することができる。補助パネル２２０は、有利には、データスループット、信頼性、及び転送速度を改善することができるさらなるアンテナ領域を提供することができる。電子デバイス１００内のアクティブアンテナの数が、展開された又は折り畳まれた構成で変動するとき、いくつかの方法が使用されて、電子デバイス１００の動作アンテナを好適に選択してもよい。アンテナの選択は、利用可能なアンテナ間の結合を最小化すること又はデータ転送を改善することに基づいてもよい。
【００７３】
一実施形態において、アンテナ選択は、アンテナの折り畳みの機械的アクションに基づいてトリガされてもよい。機械的トリガは、電子デバイス２００、３００、４００、及び５００の縁部又はヒンジ、又は折り畳み及び展開のアクションの結果としてアクティブ化され得る主パネル２１０又は補助パネル２２０の任意の他の部分にあってもよい。
【００７４】
代わりに、アンテナの折り畳み又は展開を示すために、電子センサ又は電気回路が実現されてもよい。一例として、光学センサ、ホール効果（磁気）センサが、折り畳み及び展開のイベントを検出できる電子デバイス１００上の有利な位置に位置づけられてもよい。
【００７５】
別の実施形態において、アンテナ選択は、デバイスが展開された構成１０２にある間、アンテナの１つ以上における受信信号強度指標（received  signal  strength  indication、ＲＳＳＩ）又は受信信号符号電力（received  signal  code  power、ＲＳＣＰ）に従ってアクティブアンテナ間で切り替えるアルゴリズムに基づいてトリガすることができる。代替の実施形態において、アンテナ選択は、リンク制御に基づく情報又は電力制御ビット（power  control  bit、ＰＣＢ）、ビット誤り率（bit  error  rate、ＢＥＲ）、シンボル誤り率（symbol  error  rate、ＳＥＲ）、否定応答（negative  acknowledgement、ＮＡＫ）／肯定応答（acknowledgement、ＡＣＫ）比率、又はリンク制御に基づく情報に基づいてトリガされてもよい。最も高い性能を有するアンテナが、一次受信及び／又は送信アンテナとして選択される。
【００７６】
一例として、及びマルチパス伝搬に関して前述したように、受信デバイスは、受信信号強度指標（received  signal  strength  indication、ＲＳＳＩ）に従ってアクティブアンテナ間で一次受信チェーンを切り替えることができる。無線デバイスモデムは、複数のアンテナで受信される様々な信号から最も強い信号を選択してもよい。
【００７７】
上述したように、いくつかの実施形態において、ハウジングが折り畳まれた構成に置かれているとき、グランドプレーンと補助アンテナとの間の短絡接続が、グランドプレーンに対する補助アンテナの方向づけの結果として形成される。他の実施形態において、短絡接続は、ハウジングが折り畳まれた構成に置かれているときに閉じるように構成されたスイッチにより形成される。例として、スイッチは構成センサにより制御されてもよく、該センサは、ハウジングが折り畳まれた構成に置かれていることを感知すると、通常開のスイッチを作動させて（又は通常閉のスイッチを不作動にして（de-actuates））短絡接続を形成する。
【００７８】
図１２Ａは、一実施形態の電子デバイス１２００を示し、図１２Ｂは、実施形態の電子デバイス１２００におけるトランシーバ回路１２５０を示し、電子デバイス１２００は、実施形態の電子デバイス１２００のハウジング１０４が折り畳まれた構成にあるか又は展開された構成にあるかを検出するセンサ１２０２を含む。ハウジング１０４が折り畳まれた構成にあることを検出すると、センサ１２０２はスイッチ１２４０を閉じ、それにより、補助アンテナ１２２０とグランドプレーン１２３０との間に短絡接続を形成する。ハウジング１０４が展開された構成にあることを検出すると、センサ１２０２はスイッチ１２４０を開き、それにより、送信（transmit、ＴＸ）／受信（receive、ＲＸ）チェーン１２１０が補助アンテナ１２２０を介して信号を送信／受信できるようにする。
【００７９】
スイッチ１２４０は、補助アンテナ１２２０とグランドプレーン１２３０との間の接続を遮断することができる任意の電子デバイス、例えば、通常開／通常閉の電磁スイッチ、トランジスタなどでもよい。構成センサ１２０２は、様々な異なる方法でハウジング１０４の構成を感知できることを理解されたい。例として、構成センサ１２０２は、ハウジング１０４上のリンク機構１２０４（例えば、ヒンジ）の物理的方向づけを監視し、リンク機構が基準を満たすとき（例えば、リンク機構の角度が１８０度又はそれに近いときなど）、ハウジング１０４が折り畳まれた構成に置かれていると決定してもよい。
【００８０】
別の例として、構成センサ１２０２は、ハウジング１０４に結合されたパネルの相対的方向づけを監視し、パネルが物理接触しているときにハウジング１０４が折り畳まれた構成に置かれていると決定してもよい。他の例も可能である。
【００８１】
図１３Ａ〜図１３Ｃは、アクティブアンテナチューナネットワーク１３００のブロック図と、従来の同調回路１３２０、１３３０のいくつかの例を示す。
【００８２】
図１３Ａは、一実施形態のアクティブチューナネットワーク１３００のブロック図を示し、これはホストデバイスに設置されてもよい。図示のように、アクティブチューナネットワーク１３００は、モデム１３０２、１つ以上のセンサ１３０４、増幅器１３０６、同調回路１３０８、及びアンテナ１３１０を含み、これらは図１３Ａに示すように配置されてもよい（又はそうでなくてもよい）。
【００８３】
モデム１３０２は、プロセッサ及びメモリを含んでもよい。プロセッサは、計算及び／又は他の処理関連タスクを実行するように適合された任意のコンポーネント又はコンポーネントの集合でもよく、メモリは、プロセッサによる実行のためのプログラミング及び／又は命令を記憶するように適合された任意のコンポーネント又はコンポーネントの集合でもよい。
【００８４】
センサ１３０４は、容量性タッチセンサ、近接センサ、又はアンテナ１３１０の負荷状態の変化を検出するセンサプローブのうち１つ以上を含んでもよい。センサは、例えば、アンテナ負荷状態を決定するハイパスフィルタ又は検出器回路を含むことができる。負荷状態の変化は、ユーザの手がアンテナによる無線信号の送信／受信に干渉した結果の可能性がある。別の例において、負荷状態は、無線デバイスの折り畳まれた及び展開された構成における無線デバイス内の複数のアンテナ間の干渉又は相互作用の結果であり得る。
【００８５】
増幅器１３０６は、送信パスにおける高電力増幅器と、受信パスにおける低雑音増幅器でもよい。一実施形態において、増幅器１３０６は、複数の段階で信号を増幅するためのいくつかの増幅器を含んでもよい（図示せず）。受信パス及び送信パスは、サーキュレータ又はスイッチ（図示せず）を使用して互いから隔離されてもよい。送信構成において、増幅器１３０６は、モデムから信号を受信し、アンテナ１３１０を介して送信されるべき信号を増幅させる。受信構成において、増幅器１３０６は、アンテナ１３１０から信号を受信し、モデム１３０２で受信されるべき信号を増幅させる。
【００８６】
同調回路１３０８は、キャパシタ及び／又はインダクタのうち１つ以上を含む１つ以上の回路を含む。一実施形態において、同調回路１３０８は、制御信号に基づいていくつかの整合したネットワーク間で切り替えるスイッチをさらに含んでもよい。別の実施形態において、同調回路１３０８は、負荷でのインピーダンスに整合するように回路のイン及びアウトを切り替えられる複数のキャパシタ及びインダクタを含んでもよい。当業者は、同調回路１３０８が可変の負荷の結果としてのアンテナにおけるインピーダンスに整合するために様々なコンポーネント及び回路図を含んでもよいことを理解するであろう。図１３Ｂ〜図１３Ｃは、簡素なＲＦ同調回路のいくつかの例を示し、これらは以下でさらに説明される。
【００８７】
送信及び受信構成において、モデム１３０２は、センサ１３０４から負荷状態ステータスを受信する。モデム１３０２は、同調回路１３０８における適切な整合ネットワークを決定する。モデム１３０２は、例えば、アンテナの負荷状態の変化を検出すると、アンテナ１３１０におけるインピーダンス変化に適合及び整合させるために、制御信号を同調回路１３０８に送信する。
【００８８】
図１３Ｂは、並列に配置されたインダクタ１３２２及びキャパシタ１３２４を含む従来の並列共振同調回路１３２０を示す。図１３Ｃは、直列に配置されたインダクタ１３３４及びキャパシタ１３３４を含む従来の直列共振同調回路１３３０を示す。図１３Ａの同調回路１３０８は、並列共振同調回路１３２０及び直列共振同調回路１３３０の各々のうち１つ以上を含んでもよい。様々なコンポーネントが、他のコンポーネント、例えば、所望の同調ネットワークを達成するためにコンポーネントの配置を変えることができるスイッチ（図示せず）を含んでもよい。いくつかの実施形態において、キャパシタ１３２４、１３３４、及びインダクタ１３２２、１３２４は、可変キャパシタ及び可変インダクタでもよく、適応的に同調されてもよい。
【００８９】
図１４は、本明細書に記載の方法を実行する一実施形態の処理システム１４００のブロック図を示し、これはホストデバイスに設置されてもよい。図示のように、処理システム１４００は、プロセッサ１４０４、メモリ１４０６、及びインターフェース１４１０〜１４１４を含み、これらは図１４に示すように配置されてもよい（又はそうでなくてもよい）。プロセッサ１４０４は、計算及び／又は他の処理関連タスクを実行するように適合された任意のコンポーネント又はコンポーネントの集合でもよく、メモリ１４０６は、プロセッサ１４０４による実行のためのプログラミング及び／又は命令を記憶するように適合された任意のコンポーネント又はコンポーネントの集合でもよい。一実施形態において、メモリ１４０６は、非一時的コンピュータ読取可能媒体を含む。インターフェース１４１０、１４１２、１４１４は、処理システム１４００が他のデバイス／コンポーネント及び／又はユーザとやりとりすることを可能にする任意のコンポーネント又はコンポーネントの集合でもよい。例えば、インターフェース１４１０、１４１２、１４１４のうち１つ以上は、プロセッサ１４０４からのデータ、制御、又は管理メッセージを、ホストデバイス及び／又はリモートデバイスにインストールされたアプリケーションに通信するように適合されてもよい。別の例として、インターフェース１４１０、１４１２、１４１４のうち１つ以上は、ユーザ又はユーザデバイス（例えば、パーソナルコンピュータ（personal  computer、ＰＣ）等）が処理システム１４００と対話／通信することを可能にするように適合されてもよい。処理システム１４００は、長期記憶装置（例えば、不揮発性メモリ等）など、図１４に示されていないさらなるコンポーネントを含んでもよい。
【００９０】
いくつかの実施形態において、処理システム１４００は、電気通信ネットワークにアクセスしているか又はさもなければその一部であるネットワークデバイスに含まれる。一例において、処理システム１４００は、基地局、中継局、スケジューラ、コントローラ、ゲートウェイ、ルータ、アプリケーションサーバ、又は電気通信ネットワーク内の任意の他のデバイスなどの、無線又は有線電気通信ネットワーク内のネットワーク側デバイス内にある。他の実施形態において、処理システム１４００は、移動局、ユーザ装置（user  equipment、ＵＥ）、パーソナルコンピュータ（personal  computer、ＰＣ）、タブレット、ウェアラブル通信デバイス（例えば、スマートウォッチ等）、又は通信ネットワークに直接的又は中間デバイスを通して間接的にアクセスするように適合された任意の他のデバイスなどの、無線又は有線電気通信ネットワークにアクセスするユーザ側デバイス内にある。
【００９１】
いくつかの実施形態において、インターフェース１４１０、１４１２、１４１４のうち１つ以上が、処理システム１４００を、電気通信ネットワークを介してシグナリングを送信及び受信するように適合されたトランシーバに接続する。図１５は、電気通信ネットワークを介してシグナリングを送信及び受信するように適合されたトランシーバ１４００のブロック図を示す。トランシーバ１５００は、ホストデバイスに設置されてもよい。図示のように、トランシーバ１５００は、ネットワーク側インターフェース１５０２、カプラ１５０４、送信機１５０６、受信機１５０８、信号プロセッサ１５１０、及びデバイス側インターフェース１５１２を含む。ネットワーク側インターフェース１５０２は、無線又は有線電気通信ネットワークを介してシグナリングを送信又は受信するように適合された任意のコンポーネント又はコンポーネントの集合を含んでもよい。カプラ１５０４は、ネットワーク側インターフェース１５０２を介した双方向通信を容易にするように適合された任意のコンポーネント又はコンポーネントの集合を含んでもよい。送信機１５０６は、ベースバンド信号をネットワーク側インターフェース１５０２を介した送信に適した変調搬送波信号に変換するように適合された任意のコンポーネント又はコンポーネントの集合（例えば、アップコンバータ、電力増幅器等）を含んでもよい。受信機１５０８は、ネットワーク側インターフェース１５０２を介して受信された搬送波信号をベースバンド信号に変換するように適合された任意のコンポーネント又はコンポーネントの集合（例えば、ダウンコンバータ、低雑音増幅器等）を含んでもよい。信号プロセッサ１５１０は、ベースバンド信号をデバイス側インターフェース１５１２を介した通信に適したデータ信号に変換し、またその逆も同様にするように適合された任意のコンポーネント又はコンポーネントの集合を含んでもよい。デバイス側インターフェース１５１２は、信号プロセッサ１５１０とホストデバイス内のコンポーネント（例えば、処理システム１４００、ローカルエリアネットワーク（ＬＡＮ）ポート等）との間でデータ信号を通信するように適合された任意のコンポーネント又はコンポーネントの集合を含んでもよい。
【００９２】
トランシーバ１４００は、任意のタイプの通信媒体を介してシグナリングを送信及び受信することができる。いくつかの実施形態において、トランシーバ１５００は、無線媒体を介してシグナリングを送信及び受信する。例えば、トランシーバ１５００は、セルラープロトコル（例えば、ロングタームエボリューション（long-term  evolution、ＬＴＥ）等）、無線ローカルエリアネットワーク（wireless  local  area  network、ＷＬＡＮ）プロトコル（例えば、Ｗｉ‐Ｆｉ等）、又は任意の他タイプの無線プロトコル（例えば、Ｂｌｕｅｔｏｏｔｈ、近距離通信（near  field  communication、ＮＦＣ）等）などの無線電機通信プロトコルに従って通信するように適合された無線トランシーバでもよい。そのような実施形態において、ネットワーク側インターフェース１５０２は、１つ以上のアンテナ／放射素子を含む。例えば、ネットワーク側インターフェース１５０２は、単一のアンテナ、複数の別個のアンテナ、又はマルチレイヤ通信に対して構成されたマルチアンテナアレイ、例えば、単一入力複数出力（single  input  multiple  output、ＳＩＭＯ）、複数入力単一出力（multiple  input  single  output、ＭＩＳＯ）、複数入力複数出力（multiple  input  multiple  output、ＭＩＭＯ）等を含んでもよい。他の実施形態において、トランシーバ１５００は、有線媒体、例えば、ツイストペアケーブル、同軸ケーブル、光ファイバ等を介してシグナリングを送信及び受信する。特定の処理システム及び／又はトランシーバが、図示されたコンポーネントの全て、又はコンポーネントのサブセットのみを利用してもよく、集積化のレベルは、デバイスごとに変わってもよい。
【００９３】
本開示は、特定の特徴及びその実施形態を参照して説明されたが、これに対し本開示の範囲から逸脱することなく様々な変更及び組み合わせがなされ得ることは明らかである。したがって、明細書及び図面は、別記の特許請求の範囲により定義される開示の単なる例示であるとみなされ、本開示の範囲内にあるいずれか及びすべての変更、変形、組み合わせ、又は同等物をカバーすることが企図される。
【図１Ａ】
2020535748.tif 000003
【図１Ｂ】
2020535748.tif 000004
【図１Ｃ】
2020535748.tif 000005
【図１Ｄ】
2020535748.tif 000006
【図２Ａ】
2020535748.tif 000007
【図２Ｂ】
2020535748.tif 000008
【図２Ｃ】
2020535748.tif 000009
【図３Ａ】
2020535748.tif 000010
【図３Ｂ】
2020535748.tif 000011
【図３Ｃ】
2020535748.tif 000012
【図４Ａ】
2020535748.tif 000013
【図４Ｂ】
2020535748.tif 000014
【図４Ｃ】
2020535748.tif 000015
【図５Ａ】
2020535748.tif 000016
【図５Ｂ】
2020535748.tif 000017
【図５Ｃ】
2020535748.tif 000018
【図６】
2020535748.tif 000019
【図７】
2020535748.tif 000020
【図８】
2020535748.tif 000021
【図９】
2020535748.tif 000022
【図１０】
2020535748.tif 000023
【図１１】
2020535748.tif 000024
【図１２Ａ】
2020535748.tif 000025
【図１２Ｂ】
2020535748.tif 000026
【図１３Ａ】
2020535748.tif 000027
【図１３Ｂ】
2020535748.tif 000028
【図１３Ｃ】
2020535748.tif 000029
【図１４】
2020535748.tif 000030
【図１５】
2020535748.tif 000031
【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
第２のパネルに結合された第１のパネルを含むハウジングと、
前記第１のパネルに隣接して位置づけられた第１のアンテナと、
前記第２のパネルに隣接して位置づけられた第２のアンテナであり、前記第２のアンテナは、前記ハウジングが展開された構成にあるときアクティブ化され、前記第２のアンテナは、前記ハウジングが折り畳まれた構成にあるとき非アクティブ化される、第２のアンテナと、
を含む電子デバイス。
【請求項２】
前記ハウジングが前記展開された構成から前記折り畳まれた構成に移行されるとき、前記第２のアンテナとグランドプレーンとの間の短絡接続が形成される、請求項１に記載の電子デバイス。
【請求項３】
前記第２のアンテナと前記グランドプレーンとの間の前記短絡接続は、前記ハウジングが前記展開された構成にあるとき遮断される、請求項２に記載の電子デバイス。
【請求項４】
前記短絡接続は、前記第２のアンテナが前記折り畳まれた構成において前記ハウジングの配置に付随して前記グランドプレーンと直接又は間接接触しているとき形成される、請求項３に記載の電子デバイス。
【請求項５】
前記短絡接続は、前記ハウジングが前記折り畳まれた構成に置かれているとき閉じるように構成されたスイッチにより形成される、請求項３に記載の電子デバイス。
【請求項６】
前記第１のパネルに配設された第１のディスプレイと、
前記第１のディスプレイに隣接して位置づけられた第１のグランドプレーン領域と、
前記第２のパネルに配設された第２のディスプレイと、
前記第２のディスプレイに隣接して位置づけられた第２のグランドプレーン領域であり、前記第２のグランドプレーン領域及び前記第１のグランドプレーン領域は共通グランドプレーンの一部である、第２のグランドプレーン領域と、
前記第１のアンテナを前記第２のアンテナから電気的に隔離する前記第１のグランドプレーン領域及び前記第２のグランドプレーン領域の間に位置づけられたグランドプレーンスロット構造と、
をさらに含む請求項１に記載の電子デバイス。
【請求項７】
前記グランドプレーンスロット構造は、前記第１又は第２のアンテナうち１つの動作周波数の４分の１波長に対応する近似電気長を有する誘電材料で形成される、請求項６に記載の電子デバイス。
【請求項８】
前記グランドプレーンスロット構造は、前記第１又は第２のアンテナうち１つの動作周波数の４分の１波長に対応する近似電気長を有する共振器である、請求項６に記載の電子デバイス。
【請求項９】
前記ハウジングが前記折り畳まれた構成にあるとき前記第１のディスプレイがアクティブであり、前記ハウジングが展開された構成にあるとき前記第１のディスプレイ及び前記第２のディスプレイが双方アクティブである、請求項６に記載の電子デバイス。
【請求項１０】
前記グランドプレーンスロット構造は、前記第１のパネル及び前記第２のパネルの間のデータ又は電力信号のうち１つ以上を運ぶように構成された通路を備える、請求項６に記載の電子デバイス。
【請求項１１】
前記第１のパネルに配設された第１のディスプレイ及び前記第２のパネルに配設された第２のディスプレイに隣接して位置づけられた連続グランドプレーン、をさらに含む請求項１に記載の電子デバイス。
【請求項１２】
前記ハウジングが前記展開された構成にあるとき前記第２のアンテナをアクティブ化するスイッチ、をさらに含む請求項１に記載の電子デバイス。
【請求項１３】
前記第２のアンテナは、受信信号強度指標（ＲＳＳＩ）、受信信号符号電力（ＲＳＣＰ）、ビット誤り率（ＢＥＲ）、シンボル誤り率（ＳＥＲ）、否定応答（ＮＡＫ）／肯定応答（ＡＣＫ）比率、リンク制御に基づく情報、及び電力制御ビット（ＰＣＢ）のうち１つ以上に従って選択される、請求項１に記載の電子デバイス。
【請求項１４】
前記第２のアンテナは前記第１のアンテナに対するダイバーシティアンテナとして動作する、請求項１に記載の電子デバイス。
【請求項１５】
前記第１のアンテナ及び前記第２のアンテナの各々が複数入力及び複数出力（ＭＩＭＯ）アンテナとして構成される、請求項１に記載の電子デバイス。
【請求項１６】
第２のパネルに結合された第１のパネルを含むハウジングであり、前記第１のパネルは第１のアンテナ領域を含み、前記第２のパネルは第２のアンテナ領域を含み、前記ハウジングが折り畳まれた構成にあるとき前記第１のパネル及び前記第２のパネルは互いに外方を向く、ハウジングと、
前記第１のアンテナ領域に位置づけられた第１のアンテナと、
前記第２のアンテナ領域に位置づけられた第２のアンテナであり、前記第１のアンテナは前記第２のアンテナから電気的に隔離され、前記第２のアンテナは、前記ハウジングが展開された構成にあるときアクティブ化され、前記ハウジングが前記折り畳まれた構成にあるとき非アクティブ化される、第２のアンテナと、
を含む電子デバイス。
【請求項１７】
前記ハウジングが前記展開された構成から前記折り畳まれた構成に移行されるとき、前記第２のアンテナとグランドプレーンとの間の短絡接続が形成される、請求項１６に記載の電子デバイス。
【請求項１８】
前記第２のアンテナと前記グランドプレーンとの間の前記短絡接続は、前記ハウジングが前記展開された構成にあるとき遮断される、請求項１７に記載の電子デバイス。
【請求項１９】
前記短絡接続は、前記第２のアンテナが前記グランドプレーンと直接又は間接接触しているとき形成され、前記直接又は間接接触は、前記ハウジングが前記折り畳まれた構成に置かれているときの前記グランドプレーンに対する前記第２のアンテナの方向づけから生じる、請求項１８に記載の電子デバイス。
【請求項２０】
前記短絡接続は、前記ハウジングに結合され、かつ前記ハウジングが前記折り畳まれた構成に置かれているとき閉じるように構成されたスイッチにより形成される、請求項１８に記載の電子デバイス。
【請求項２１】
第３のアンテナ領域を含む第３のパネル、をさらに含み、前記第３のアンテナ領域に第３のアンテナが配置され、前記第３のアンテナは前記第１のアンテナから電気的に隔離される、請求項１６に記載の電子デバイス。
【請求項２２】
前記第１及び第３のアンテナのうち少なくとも１つが、前記ハウジングが展開された構成にあるとき動作可能であり、前記第３のアンテナとグランドプレーンとの間の短絡接続が、前記ハウジングが前記展開された構成から前記折り畳まれた構成に移行されるとき形成される、請求項２１に記載の電子デバイス。
【請求項２３】
前記ハウジングは、前記第１のパネル及び前記第２のパネルに配設された連続グランドプレーンをさらに含む、請求項２１に記載のデバイス。
【請求項２４】
前記第２のアンテナ領域は、前記ハウジングが折り畳まれた構成にあるとき前記第１のアンテナ領域に重ならない、請求項１６に記載の電子デバイス。
【請求項２５】
前記第１のアンテナ及び前記第２のアンテナは異なるタイプの無線アンテナである、請求項１６に記載の電子デバイス。
【請求項２６】
前記第２のアンテナは前記第１のアンテナに対するダイバーシティアンテナとして動作する、請求項１６に記載の電子デバイス。
【請求項２７】
前記第１のアンテナ及び前記第２のアンテナは複数入力及び複数出力（ＭＩＭＯ）アンテナ構成にある、請求項１６に記載の電子デバイス。
【請求項２８】
前記第１のパネルに配設された主ディスプレイ領域であり、前記ハウジングが前記折り畳まれた構成にあるとき前記主ディスプレイ領域がアクティブである、主ディスプレイ領域と、
前記第２のパネルに配設された補助ディスプレイ領域であり、前記ハウジングが展開された構成にあるとき前記主ディスプレイ領域及び前記補助ディスプレイ領域がアクティブである、補助ディスプレイ領域と、
をさらに含む請求項１６に記載の電子デバイス。
【請求項２９】
前記第１のパネルに配設され前記主ディスプレイ領域に隣接した第１のグランドプレーン領域と、
前記第２のパネルに配設され前記補助ディスプレイ領域に隣接した第２のグランドプレーン領域であり、前記第１のグランドプレーン領域及び前記第２のグランドプレーン領域は共通グランドプレーンを形成する、第２のグランドプレーン領域と、
前記第１のグランドプレーン領域を前記第２のグランドプレーン領域に結合するグランドプレーンスロット構造であり、前記グランドプレーンスロット構造は、当該電子デバイスのセルラーアンテナの動作周波数の４分の１波長に対応する近似電気長で構成される、グランドプレーンスロット構造と、
をさらに含む請求項２８に記載の電子デバイス。
【請求項３０】
前記第１のアンテナは前記グランドプレーンスロット構造を介して前記第２のアンテナから電気的に隔離される、請求項２９に記載の電子デバイス。
【請求項３１】
前記グランドプレーンスロット構造は、前記第１のパネル及び前記第２のパネルの間のデータ又は電力信号のうち１つ以上を運ぶように構成された通路を含む、請求項２９に記載の電子デバイス。
【請求項３２】
前記グランドプレーンスロット構造は誘電体又は共振器を含む、請求項２９に記載の電子デバイス。
【国際調査報告】
2020535748.tif 000032
2020535748.tif 000033